(57)【要約】【課題】  従来のエレベータ制御装置においては、乗場におけるかご呼びのためのボタンは、上方呼びや下方呼びのものがそれぞれ個別のボタンで構成されていた。また、身障者用の呼びのものはそれらとは別に設けられていた。【解決手段】本発明にかかるエレベータ制御装置においては、エレベータの乗場近傍に設置され、少なくとも上方呼びかつ一般呼び、下方呼びかつ一般呼び、上方呼びかつ専用呼び及び下方呼びかつ専用呼びを含む表示を所定時間で切り替え表示を行う表示手段を備えたエレベータ制御装置であって、前記表示手段の近傍に設置された乗場ボタンと、前記乗場ボタンの押し操作の継続により表示の切り替えを行う表示切替手段と、前記表示の最中に前記乗場ボタンの押し操作の継続をやめることにより前記表示の最中の呼びを選択する選択手段と、を備える。【選択図】          図１
2015000771.tif 000002
【特許請求の範囲】
【請求項１】
エレベータの乗場近傍に設置され、少なくとも上方呼びかつ一般呼び、下方呼びかつ一般呼び、上方呼びかつ専用呼び及び下方呼びかつ専用呼びを含む表示を所定時間で切り替え表示を行う表示手段を備えたエレベータ制御装置であって、
前記表示手段の近傍に設置された乗場ボタンと、
前記乗場ボタンの押し操作の継続により表示の切り替えを行う表示切替手段と、
前記表示の最中に前記乗場ボタンの押し操作の継続をやめることにより前記表示の最中の呼びを選択する選択手段と、を備えたことを特徴とするエレベータ制御装置。
【請求項２】
前記専用呼びは車椅子呼びであることを特徴とする請求項１記載のエレベータ制御装置。
【請求項３】
前記表示手段は、上方呼びかつ一般呼び、上方呼びかつ専用呼び、下方呼びかつ一般呼び、下方呼びかつ専用呼びの順番で切り替えることを特徴とする請求項１乃至２に記載のエレベータ制御装置。
【請求項４】
前記表示手段の切り替え表示は、更に既に登録された呼び登録をキャンセルするキャンセル表示を含み、前記選択手段により本状態が選択されると全ての前記既に登録された呼びのキャンセルすることを特徴とする請求項１乃至３に記載のエレベータ制御装置。
【発明の詳細な説明】
【技術分野】
【０００１】
この発明は、乗場にて呼び登録を行うエレベータの制御装置に関するものである。
【背景技術】
【０００２】
従来のエレベータ制御装置においては、乗場におけるかご呼びのためのボタンは、上方呼びや下方呼びのものがそれぞれ個別のボタンで構成されていた。また、身障者用の呼びのものはそれらとは別に設けられていた（例えば、特許文献１参照）。
【先行技術文献】
【特許文献】
【０００３】
【特許文献１】特開平６−２６３３３５号公報
【特許文献２】特開２００７−８６０４号公報
【発明の概要】
【発明が解決しようとする課題】
【０００４】
従来のエレベータ制御装置においては、乗場におけるかご呼びのためのボタンは、上方呼びや下方呼びのもの、更には身障者呼びのものがそれぞれ個別のボタンで構成されていたため、設置場所が狭い場合は、それらを設置するスペースがないという問題点があった。また、設置場所がある場合でも、ボタンが多くデザインがシンプル化できないという問題点があった。
【課題を解決するための手段】
【０００５】
本発明にかかるエレベータ制御装置においては、エレベータの乗場近傍に設置され、少なくとも上方呼びかつ一般呼び、下方呼びかつ一般呼び、上方呼びかつ専用呼び及び下方呼びかつ専用呼びを含む表示を所定時間で切り替え表示を行う表示手段を備えたエレベータ制御装置であって、前記表示手段の近傍に設置された乗場ボタンと、前記乗場ボタンの押し操作の継続により表示の切り替えを行う表示切替手段と、前記表示の最中に前記乗場ボタンの押し操作の継続をやめることにより前記表示の最中の呼びを選択する選択手段と、を備える。
【発明の効果】
【０００６】
この発明にかかるエレベータ制御装置は、上記の構成としたので、設置スペースを少なくでき、デザインもシンプル化ができるという効果がある。
【図面の簡単な説明】
【０００７】
【図１】この発明の実施の形態におけるエレベータ制御装置の全体構成図である。
【図２】この発明の実施の形態における表示装置の構成図である。
【図３】この発明の実施の形態における表示部の第一の形態を説明する図である。
【図４】この発明の実施の形態における表示部の第二の形態を説明する図である。
【図５】この発明の実施の形態における表示部の第三の形態を説明する図である。
【図６】この発明の実施の形態における表示部の第四の形態を説明する図である。
【図７】この発明の実施の形態における表示部の第五の形態を説明する図である。
【図８】この発明の実施の形態１を示すエレベータ制御装置のフローチャートである。
【発明を実施するための形態】
【０００８】
実施の形態１
以下、この発明の実施形態を図１乃至図８を用いて説明する。
【０００９】
図１は、この発明の実施の形態におけるエレベータ制御装置を示すものである。図１において、エレベータ各階の乗場には、表示装置６が設けられており、それぞれはエレベータ制御盤１に制御情報が通信路を介して接続されている。
【００１０】
制御盤１は、各乗場からの表示装置６から送られてきた制御情報を入力し、また表示装置６への制御情報を出力するための制御情報入出力手段５、制御情報に基づいて表示装置６の表示切替を行うための表示切替手段２、表示装置６の選択内容の選択、決定を行うための選択手段３、選択手段３で決定した内容に基づいてかごの配車を行うためのかご配車手段４を備える。
【００１１】
図２は、図１における表示装置６の詳細構成を示すものである。図２において、表示装置６は、かご呼びの方向や身障者呼びを所定時間で切り替えて表示を行う表示部７、押し続けることにより表示の切り替えを行い、離すことにより表示された内容の選択を行う行先ボタン８を備える。
【００１２】
表示部７の内容は、図３から図７に示すように表示内容が切り替えられ、図７の表示内容の後は図３に戻る。
【００１３】
図３は図２の表示部の第一の形態を表しており、呼びの方向は上側であることより「上方呼び」である。また身障者用の表示はないことから「一般呼び」である。従って、本表示内容は、「上方呼びかつ一般呼び」と称する。
【００１４】
図４は図２の表示部の第二の形態を表しており、呼びの方向は上側であることより「上方呼び」である。また身障者用の表示があることから「専用呼び」である。従って、本表示内容は、「上方呼びかつ専用呼び」と称する。
【００１５】
図５は図２の表示部の第三の形態を表しており、呼びの方向は下側であることより「下方呼び」とである。また身障者用の表示はないことから「一般呼び」である。従って、本表示内容は、「下方呼びかつ一般呼び」と称する。
【００１６】
図６は図２の表示部の第四の形態を表しており、呼びの方向は下側であることより「下方呼び」である。また身障者用の表示があることから「専用呼び」である。従って、本表示内容は、「下方呼びかつ専用呼び」と称する。
【００１７】
図７は図２の表示部の第五の形態を表しており、「キャンセル」である。これはこれまでのかご呼びを全てキャンセルするものである。
【００１８】
図２の行先ボタン８は、押すことにより、表示部の表示内容を所定時間ごとに図３から図７に切り替えられ、図７の表示内容後には図３に戻る。
【００１９】
また、行先ボタン８は、離すことにより、表示部の表示内容の選択が行われる。それらが図３乃至図６の内容であれば対応する呼び登録が行われ、図７の内容であれば、全ての呼び登録がキャンセルされる。このように構成されたエレベータ制御装置において、種々の呼びをひとつのボタン操作で登録することができる。
【００２０】
次に、この発明の実施の形態における動作について図８を用いて説明する。
【００２１】
図８において、まずＳ１で、行先ボタン８が押されたかを判断する。行先ボタン８が押されなかった場合（Ｓ１；ＮＯ）は、表示部７は現在の表示を継続（Ｓ２）して処理を終了する。
【００２２】
行先ボタン８が押された場合（Ｓ１；Ｙｅｓ）は、表示部７は「上方呼びかつ一般呼び」を表示（Ｓ３）してＳ４に進む。
【００２３】
Ｓ４では、行先ボタン８が離されたかを判断する。行先ボタン８が離された場合は、行先呼びとして「上方呼びかつ一般呼び」を選択（Ｓ５）し、処理を終了する。その後、選択された「上方呼びかつ一般呼び」が表示装置６から制御盤１に制御情報入出力手段５を介して選択手段３に伝えられ、ここで、既存の呼びに加え、新たに発生した「上方呼びかつ一般呼び」に基づいて、かご配車手段４によりかごの配車が決定されることとなる。
【００２４】
Ｓ４で行先ボタンが離されなかった場合には、Ｓ６に進み、ここで１秒経過したかを判断する。１秒経過していない場合はＳ３に戻り、「上方呼びかつ一般呼び」の表示が継続される（Ｓ６；ＮＯ）。１秒経過した場合（Ｓ６；ＹＥＳ）は、Ｓ７に進み、「上方呼びかつ専用呼び」を表示して、Ｓ８に進む。なお、ここで用いた１秒は、制御盤１の表示切替手段２から設定される。
【００２５】
Ｓ８では、行先ボタン８が離されたかを判断する。行先ボタン８が離された場合は、行先呼びとして「上方呼びかつ専用呼び」を選択（Ｓ９）し、処理を終了する。その後、選択された「上方呼びかつ専用呼び」が表示装置６から制御盤１に制御情報入出力手段５を介して選択手段３に伝えられ、ここで、既存の呼びに加え、新たに発生した「上方呼びかつ専用呼び」に基づいて、かご配車手段４によりかごの配車が決定されることとなる。
【００２６】
Ｓ８で行先ボタンが離されなかった場合には、Ｓ１０に進み、ここで１秒経過したかを判断する。１秒経過していない場合はＳ７に戻り、「上方呼びかつ専用呼び」の表示が継続される（Ｓ１０；ＮＯ）。１秒経過した場合（Ｓ１０；ＹＥＳ）は、Ｓ１１に進み、「下方呼びかつ一般呼び」を表示して、Ｓ１２に進む。なお、ここで用いた１秒は、制御盤１の表示切替手段２から設定される。
【００２７】
Ｓ１２では、行先ボタン８が離されたかを判断する。行先ボタン８が離された場合は、行先呼びとして「下方呼びかつ一般呼び」を選択（Ｓ１３）し、処理を終了する。その後、選択された「下方呼びかつ一般呼び」が表示装置６から制御盤１に制御情報入出力手段５を介して選択手段３に伝えられ、ここで、既存の呼びに加え、新たに発生した「下方呼びかつ一般呼び」に基づいて、かご配車手段４によりかごの配車が決定されることとなる。
【００２８】
Ｓ１２で行先ボタンが離されなかった場合には、Ｓ１４に進み、ここで１秒経過したかを判断する。１秒経過していない場合はＳ１１に戻り、「下方呼びかつ一般呼び」の表示が継続される（Ｓ１４；ＮＯ）。１秒経過した場合（Ｓ１４；ＹＥＳ）は、Ｓ１５に進み、「下方呼びかつ専用呼び」を表示して、Ｓ１６に進む。なお、ここで用いた１秒は、制御盤１の表示切替手段２から設定される。
【００２９】
Ｓ１６では、行先ボタン８が離されたかを判断する。行先ボタン８が離された場合は、行先呼びとして「下方呼びかつ一般呼び」を選択（Ｓ１７）し、処理を終了する。その後、選択された「下方呼びかつ専用呼び」が表示装置６から制御盤１に制御情報入出力手段５を介して選択手段３に伝えられ、ここで、既存の呼びに加え、新たに発生した「下方呼びかつ専用呼び」に基づいて、かご配車手段４によりかごの配車が決定されることとなる。
【００３０】
Ｓ１６で行先ボタンが離されなかった場合には、Ｓ１８に進み、ここで１秒経過したかを判断する。１秒経過していない場合はＳ１５に戻り、「下方呼びかつ専用呼び」の表示が継続される（Ｓ１８；ＮＯ）。１秒経過した場合（Ｓ１８；ＹＥＳ）は、Ｓ１９に進み、「キャンセル」を表示して、Ｓ２０に進む。なお、ここで用いた１秒は、制御盤１の表示切替手段２から設定される。
【００３１】
Ｓ２０では、行先ボタン８が離されたかを判断する。行先ボタン８が離された場合は、行先呼びを全てキャンセル（Ｓ２１）し、処理を終了する。
【００３２】
Ｓ２０で行先ボタンが離されなかった場合には、Ｓ２２に進み、ここで１秒経過したかを判断する。１秒経過していない場合はＳ１９に戻り、「キャンセル」の表示が継続される（Ｓ２２；ＮＯ）。１秒経過した場合（Ｓ２２；ＹＥＳ）は、Ｓ３に進み、「上方呼びかつ一般呼び」を表示して、Ｓ４に進む。
【００３３】
したがって、本実施の形態におけるエレベータ制御装置は、以上の様に構成したので、設置スペースを少なくでき、デザインもシンプル化ができる。
【００３４】
なお、本発明の実施の形態では、全ての乗場階にて表示装置６を備えるように説明したが、一部の階のみに適用し、それ以外の階には従来通り、上方呼び、下方呼び、一般呼び、専用呼びを別々にして行うようにしても良い。
【００３５】
また、切り替え内容を上方呼びかつ一般呼び、上方呼びかつ専用呼び、下方呼びかつ一般呼び、下方呼びかつ専用呼び、キャンセルとしたが、一部を削除しても良い。例えば、キャンセルを削除してもよいし、１Ｆであれば上方一般呼び、上方専用呼びを削除しても良い。また上方専用呼び、下方専用呼びを削除するように構成しても良い。
【００３６】
また、切り替え順序を、上方呼びかつ一般呼び、上方呼びかつ専用呼び、下方呼びかつ一般呼び、下方呼びかつ専用呼び、キャンセルの順番としたが、これらの順番についても適宜変えても、更に一部を省略しても本発明と同様の効果を奏することはいうまでもない。
【産業上の利用可能性】
【００３７】
本発明は、乗場にて呼び登録を行うエレベータの制御装置に適用することができる。
【符号の説明】
【００３８】
１  制御盤
２  表示切替手段
３  選択手段
４  かご配車手段
５  制御情報入出力手段
６  表示装置
７  表示部
７ａ  表示部の第一の形態
７ｂ  表示部の第二の形態
７ｃ  表示部の第三の形態
７ｄ  表示部の第四の形態
７ｅ  表示部の第五の形態
８  行先ボタン
【図１】
2015000771.tif 000003
【図２】
2015000771.tif 000004
【図３】
2015000771.tif 000005
【図４】
2015000771.tif 000006
【図５】
2015000771.tif 000007
【図６】
2015000771.tif 000008
【図７】
2015000771.tif 000009
【図８】
2015000771.tif 000010